(57)【要約】【課題】ヘリカルアンテナの部品点数を削減すると共に、アンテナエレメントの雌ねじ部を共通化する。【解決手段】ヘリカルアンテナ１をアンテナエレメント２とエレメント２を被覆する樹脂カバー３で構成し、アンテナエレメント２のコイル状のアンテナ部２ａを所要の電気的特性に基づく巻き径及びピッチ、コイル状の雌ねじ部２ｂを本体４の雄ねじ部５に対応する巻き径及びピッチで且つアンテナ部２ａの巻き径より大径とし、雄ねじ部５と雌ねじ部２ｂを螺合してヘリカルアンテナ１を本体４に取り付けるヘリカルアンテナの取付構造。【選択図】図１
2005192173.tif 000002
【特許請求の範囲】
【請求項１】
本体若しくは取付具に設けられる所定の径及びピッチの雄ねじ部に、該雄ねじ部に対応する巻き径及びピッチの雌ねじ部と所要の電気的特性に基づく巻き径及びピッチで且つ該雌ねじ部の巻き径より小さい径のアンテナ部を有するコイル状のアンテナエレメントを、該雄ねじ部と該雌ねじ部の螺合により取り付けることを特徴とするヘリカルアンテナの取付構造。
【請求項２】
前記取付状態に於いて、本体若しくは取付具の雄ねじ部の外周に設けられる当接面と前記アンテナ部の外周に位置する樹脂カバーの当接面とが当接することを特徴とする請求項２記載のヘリカルアンテナの取付構造。
【請求項３】
コイル状の雌ねじ部とアンテナ部を有し、該雌ねじ部が螺合する本体若しくは取付具の雄ねじ部に対応する巻き径及びピッチ、該アンテナ部が所要の電気的特性に基づく巻き径及びピッチで且つ該雌ねじ部の巻き径より小さい巻き径であることを特徴とするヘリカルアンテナのアンテナエレメント。
【請求項４】
コイル状の雌ねじ部とアンテナ部を有し、該雌ねじ部が螺合する本体若しくは取付具の雄ねじ部に対応する巻き径及びピッチ、該アンテナ部が所要の電気的特性に基づく巻き径及びピッチで且つ該雌ねじ部の巻き径より小さい巻き径であるアンテナエレメントと、アンテナエレメントに固着されアンテナエレメントを被覆する樹脂カバーで構成されることを特徴とするヘリカルアンテナ。
【請求項５】
前記樹脂カバーが細長キャップ状で、その開口近傍に雌ねじ部を形成されており、前記アンテナエレメントのコイル状の雌ねじ部が雄ねじとして該樹脂カバーの雌ねじ部に螺合され、該アンテナエレメントと樹脂カバーが固着されることを特徴とする請求項３記載のヘリカルアンテナ。
【請求項６】
前記アンテナエレメントの雌ねじ部の終端に掛止突起が外方に突設され、該アンテナエレメントの抜ける方向への回動に対して、該掛止突起が前記樹脂カバーの雌ねじ部に掛止されることを特徴とする請求項４又は５記載のヘリカルアンテナ。
【請求項７】
前記アンテナエレメントの雌ねじ部の略終端近傍の巻き径が終端に向かって漸次増加され、該アンテナエレメントの抜ける方向への回動に対して、該終端が前記樹脂カバーの雌ねじ部に掛止されることを特徴とする請求項４又は５記載のヘリカルアンテナ。
【請求項８】
コイル状の雌ねじ部とアンテナ部を有し、該雌ねじ部が螺合する本体若しくは取付具の雄ねじ部に対応する巻き径及びピッチ、該アンテナ部が所要の電気的特性に基づく巻き径及びピッチで、該雌ねじ部の巻き径がアンテナ部の巻き径より大きいアンテナエレメントと、アンテナエレメントを被覆する樹脂カバーとで構成されるヘリカルアンテナを製造する方法であって、略先端から略中央に亘ってアンテナ部の巻き径及びピッチに対応する螺旋溝が形成され且つ根元部の外径が雌ねじ部の巻き径に対応する保持部材を、雌ねじ部側からアンテナエレメントに螺入すると共に、該保持部材及びアンテナエレメントを金型内に配置し、該金型内に樹脂を射出して該アンテナエレメントに所定形状の樹脂カバーを覆設し、該保持部材をアンテナエレメントから抜き出すことを特徴とするヘリカルアンテナの製造方法。
【発明の詳細な説明】
【技術分野】
【０００１】
本発明は、アンテナエレメントで構成される雌ねじの螺合を用いるヘリカルアンテナの取付構造、アンテナエレメント、ヘリカルアンテナ及びその製造方法に関する。
【背景技術】
【０００２】
アンテナエレメントで構成される雌ねじの螺合を用いるヘリカルアンテナの取り付けに関連する公知技術文献に特許文献１がある。特許文献１には、コイル状のアンテナエレメントの基端部で雌ねじを構成すると共に、取付部を有する基部金具に雄ねじを形成し、基端部の雌ねじに基部金具の雄ねじを螺合してアンテナエレメントと基部金具を固定するヘリカルアンテナが開示されている。
【０００３】
尚、参考として、コイルで構成される雌ねじとアンテナ側の雄ねじとの螺合に関連する公知技術文献に特許文献２〜４がある。特許文献２には、アンテナホルダーの側部に金属線をコイル状に巻き付けて雄ねじを構成すると共に、携帯電話の取付孔の内側に金属線を巻き付けて雌ねじを構成し、その雄ねじと雌ねじを螺合してアンテナホルダー及びアンテナを取り付ける構成が開示されている。また、特許文献３には、コイル状バネのコイル部で雌ねじを構成し、アンテナ基部の雄ねじを螺合して固定する構成が開示されている。また、特許文献４には、コイルバネで雌ねじを形成し、アンテナホルダーの外周に雄ねじを螺合して取り付ける構成が開示されている。
【０００４】
【特許文献１】実公平８−３０５２号公報
【特許文献２】特開２００２−４３８１４号公報
【特許文献３】特開２００１−２８４９３２号公報
【特許文献４】特開２００１−２１７６２５号公報
【発明の開示】
【発明が解決しようとする課題】
【０００５】
ところで、特許文献１の構成は、ヘリカルアンテナの基端部を雌ねじとして利用する取付構造であることから、別途雌ねじを設ける必要が無く、ヘリカルアンテナ自体の部品点数を削減できるメリットはあるものの、ヘリカルアンテナはアンテナエレメントの螺旋の径やピッチで電気的特性が決定されるものであるため、特許文献１の如くアンテナエレメントの基端部で雌ねじを構成する場合には、螺合する雄ねじの径やピッチを前記アンテナエレメントのそれと合わせて形成する必要がある。従って、様々な電気的特性のアンテナエレメントの多様な径やピッチに対応し、多様な径やピッチの雄ねじを準備することが必要となる。しかし、かような部材の多様化は、製造工程の増加や製造コスト上昇の要因となる。
【０００６】
本発明は上記課題に鑑み提案するものであって、ヘリカルアンテナを少ない部品点数で構成し、且つ容易に取り付けることができると共に、部材を共通化して製造工程の簡略化や製造コストの低下を図ることができるヘリカルアンテナの取付構造、アンテナエレメント、ヘリカルアンテナ及びその製造方法を提供することを目的とする。
【課題を解決するための手段】
【０００７】
本発明のヘリカルアンテナの取付構造は、本体若しくは取付具に設けられる所定の径及びピッチの雄ねじ部に、雄ねじ部に対応する巻き径及びピッチの雌ねじ部と所要の電気的特性に基づく巻き径及びピッチで且つ雌ねじ部の径より小さい巻き径のアンテナ部を有するコイル状のアンテナエレメントを、雄ねじ部と雌ねじ部の螺合により取り付けることを特徴とする。前記取付状態に於いて、本体若しくは取付具の雄ねじ部の外周に設けられる当接面と前記アンテナ部の外周に位置する樹脂カバーの当接面とが当接する構成とすると好適である。
【０００８】
また、本発明のヘリカルアンテナのアンテナエレメントは、コイル状の雌ねじ部とアンテナ部を有し、雌ねじ部が螺合する本体若しくは取付具の雄ねじ部に対応する巻き径及びピッチ、アンテナ部が所要の電気的特性に基づく巻き径及びピッチで且つ雌ねじ部の巻き径より小さい巻き径であることを特徴とする。
【０００９】
また、本発明のヘリカルアンテナは、コイル状の雌ねじ部とアンテナ部を有し、雌ねじ部が螺合する本体若しくは取付具の雄ねじ部に対応する巻き径及びピッチ、アンテナ部が所要の電気的特性に基づく巻き径及びピッチで且つ雌ねじ部の巻き径より小さい巻き径であるアンテナエレメントと、アンテナエレメントに固着されアンテナエレメントを被覆する樹脂カバーで構成されることを特徴とする。
【００１０】
更に、本発明のヘリカルアンテナは、樹脂カバーが細長キャップ状で、その開口近傍に雌ねじ部を形成されており、アンテナエレメントのコイル状の雌ねじ部が雄ねじとして樹脂カバーの雌ねじ部に螺合され、アンテナエレメントと樹脂カバーが固着されることを特徴とする。即ち、アンテナエレメントの雌ねじ部の巻き径の内径及びピッチを雌ねじとして利用し、本体や取付具の雄ねじ部を螺合すると共に、アンテナエレメントの雌ねじ部の巻き径の外径及びピッチを雄ねじとして利用し、樹脂カバーの雌ねじ部に螺合する構成とする。
【００１１】
更に、本発明のヘリカルアンテナは、アンテナエレメントの雌ねじ部の終端に掛止突起が外方に突設され、アンテナエレメントの抜ける方向への回動に対して、掛止突起が前記樹脂カバーの雌ねじ部に掛止されることを特徴とする。又は、本発明のヘリカルアンテナは、アンテナエレメントの雌ねじ部の略終端近傍の巻き径が終端に向かって漸次増加され、アンテナエレメントの抜ける方向への回動に対して、前記終端が前記樹脂カバーの雌ねじ部に掛止されることを特徴とする。
【００１２】
また、本発明のヘリカルアンテナの製造方法は、コイル状の雌ねじ部とアンテナ部を有し、該雌ねじ部が螺合する本体若しくは取付具の雄ねじ部に対応する巻き径及びピッチ、該アンテナ部が所要の電気的特性に基づく巻き径及びピッチで、該雌ねじ部の巻き径がアンテナ部の巻き径より大きいアンテナエレメントと、アンテナエレメントを被覆する樹脂カバーとで構成されるヘリカルアンテナを製造する方法であって、略先端から略中央に亘ってアンテナ部の巻き径及びピッチに対応する螺旋溝が形成され且つ根元部の外径が雌ねじ部の巻き径或いはその内径に対応する保持部材を、雌ねじ部側からアンテナエレメントに螺入すると共に、保持部材及びアンテナエレメントを金型内に配置し、金型内に樹脂を射出してアンテナエレメントに所定形状の樹脂カバーを覆設し、保持部材をアンテナエレメントから抜き出すことを特徴とする。
【発明の効果】
【００１３】
本発明は、ヘリカルアンテナのコイル状のアンテナエレメントを、雄ねじ部の径及びピッチに対応する巻き径及びピッチの雌ねじ部と所要の電気的特性に基づく巻き径及びピッチのアンテナ部で構成することにより、様々な電気的特性に基づく多様なアンテナ部に対し、アンテナエレメントの雌ねじ部と本体や取付具の雄ねじ部を共通化し、互換性を確保することができる。従って、部材の共通化により、製造工程の簡略化や製造コストの低下を図ることができる。
【００１４】
また、アンテナエレメントで雌ねじ部を構成し、本体や取付具の雄ねじ部と螺合して取り付けることにより、ヘリカルアンテナを少ない部品点数で構成することができる、容易に取り付けることができると共に、ヘリカルアンテナをトランシーバ本体等に強固に固着することができ、例えば接着が外れる、樹脂カバーがカラーなど別部材に対して空転する等の問題を無くすことができる。更に、樹脂カバーの当接面と本体の当接面等を当接させることにより、樹脂カバーやヘリカルアンテナに負荷される周方向の回転トルクを当接箇所で受けることができ、回転に対する強度が非常に高くなる。
【００１５】
また、アンテナエレメントと樹脂カバー間に介装物を設けずにアンテナエレメントの雌ねじ部と樹脂カバーを螺着若しくは樹脂成形で一体的に固着すると共に、アンテナエレメントの雌ねじ部と本体等の雄ねじ部を螺着する構成により、アンテナエレメントの雌ねじ部に対応する箇所で樹脂カバーの肉厚を厚くして強度を高めることができる。更に、樹脂カバーの肉厚を厚くすることが可能なので、樹脂カバーが弾性で膨らんでアンテナエレメントが抜け出すようなこと等が無くなり、樹脂カバーとアンテナエレメントの固着強度を高めることができる。
【００１６】
また、雌ねじ部の巻き径をアンテナ部の巻き径より大きくし、ヘリカルアンテナをアンテナエレメントと覆設される樹脂カバーで構成することにより、ヘリカルアンテナの部品点数を２点とし、更なる部品点数の削減や製造コストの低下を図ることができる。更に、アンテナエレメントと樹脂カバーを固着する組立工程だけで製造することが可能になるので、一層製造工程の簡略化や製造コストの低下を図ることができ、更には、樹脂カバーの先端に別部材のキャップを設ける必要を無くすことができる。
【００１７】
例えば細長キャップ状で開口近傍の内部に雌ねじ部を有する樹脂カバーを用いる場合に、樹脂カバーにアンテナエレメントを挿入して、樹脂カバーの雌ねじ部にアンテナエレメントの雌ねじ部を雄ねじとして螺合するだけで、ヘリカルアンテナを組み立てることができる。又、保持部材を用いてアンテナエレメントの周囲に細長キャップ状の樹脂カバーを覆設する場合に、保持部材は雌ねじ側から螺入して雌ねじ側から抜き出すことにより、アンテナ部の先端を一体的な樹脂カバーで閉塞することができ、容易に樹脂カバーを覆設してヘリカルアンテナを製造することができると共に、アンテナ部の先端を樹脂カバーと別部材の樹脂キャップ等で閉塞する必要を無くすことができ、従って、キャップが外れる等の問題が生じない。
【００１８】
また、アンテナエレメントの雌ねじ部の終端に設ける掛止突起が、アンテナエレメントの抜ける方向への回動に対して樹脂カバーに掛止する、或いはアンテナエレメントの雌ねじ部の略終端近傍の巻き径を終端に向かって漸次増加し、アンテナエレメントの抜ける方向への回動に対して前記終端が樹脂カバーの雌ねじ部に掛止する構成とすることにより、アンテナエレメントが回転して樹脂カバーから抜け出ることを防止することができる。更に、アンテナエレメントの雌ねじ部の略終端近傍の巻き径を終端に向かって漸次増加する構成では、例えば量産する際に掛止突起の厳密な寸法管理等を行う必要が無いので、ヘリカルアンテナやアンテナエレメントの製造工程を一層容易化することができる。
【００１９】
また、保持部材の螺旋溝をアンテナ部に螺入して、保持部材の略先端から略中央に亘る部分でアンテナ部の巻き径及びピッチを保持すると共に、螺入した保持部材の根元部の外径で雌ねじ部の巻き径を保持し、その状態でアンテナエレメントに樹脂成形で樹脂カバーを覆設することにより、樹脂成形の際に、アンテナエレメントのアンテナ部や雌ねじ部の所定巻き径及び所定ピッチを維持することができ、ヘリカルアンテナの所要の電気的特性や、雄ねじ部と雌ねじ部との螺合を確実に確保することができる。
【発明を実施するための最良の形態】
【００２０】
以下では、本発明について実施形態に基づき説明する。尚、本発明には、各発明に他の発明や実施形態の構成を追加したものや、各発明の構成を他の発明や実施形態の構成に変更したものや、各発明の構成を本発明の部分的な効果を奏する限度で削除したものも含まれる。
【００２１】
先ず、第１実施形態のヘリカルアンテナ１について説明する。第１実施形態のヘリカルアンテナ１は、図１〜図３に示すように、コイル状のアンテナエレメント２を先端が丸い略円錐形で細長キャップ状の樹脂カバー３で被覆している構成である。
【００２２】
アンテナエレメント２は螺旋状の金属線で形成され、必要とする電気的特性が得られる巻き径及びピッチでコイルが形成され且つ略先端から略中央に亘って形成されているアンテナ部２ａと、後述する雄ねじ部６の巻き径及びピッチに対応する所定の径及びピッチでコイルが形成され且つ略後端に形成されている雌ねじ部２ｂを有する。アンテナエレメント２の雌ねじ部２ｂの径はアンテナ部２ａの巻き径より大径になっており、又、本例の雌ねじ部２ｂはコイルが略密着するピッチで形成されている。更に、アンテナエレメント２の雌ねじ部２ｂの終端２ｃで掛止突起２ｄが外方に突設されており、掛止突起２ｄは、螺旋の進行方向側の面が傾斜面である略三角柱状に形成されている。
【００２３】
細長キャップ状の樹脂カバー３は、アンテナ部２ａの収容箇所の内径をアンテナ部２ａの巻き径の外径より若干大径に形成され、その底側の開口から挿入されるアンテナエレメント２を内部に収容している。また、樹脂カバー３は、その開口近傍の内周にネジ溝が形成された雌ねじ部３ａを有し、アンテナエレメント２の雌ねじ部２ｂの巻き径の外径部分を雄ねじとして雌ねじ部３ａに螺合することにより、挿入収容されるアンテナエレメント２が固着されている。更に、雌ねじ部３ａの開口側の終端に於ける外周には当接面３ｂが設けられており、前記当接面３ｂは後述するトランシーバ本体４の当接面５ｂに当接するようになっている。
【００２４】
前記アンテナエレメント２の雌ねじ部２ｂを雄ねじとして樹脂カバー３の雌ねじ部３ａに螺合する場合、樹脂カバー３の開口側からアンテナエレメント２のアンテナ部２ａを樹脂カバー３内へ挿入し、雌ねじ部２ｂを樹脂カバー３の雌ねじ部３ｂに螺入する。前記螺合の際には、アンテナエレメント２のバネ性及び係止突起２ｄの傾斜面により、その終端２ｃの掛止突起２ｄが内径方向へ逃げ、スムーズに螺合するようになっている。また、前記螺合後には、螺合を外す方向への回転に対して掛止突起２ｄが雌ねじ部３ａの面に引っ掛かり、雌ねじ部２ｂを外径方向に拡径して回転止めとなり、アンテナエレメント２の雌ねじ部２ｂが雄ねじとして螺合している樹脂カバー３の雌ねじ部３ａから抜け外れることを防止する構成である。
【００２５】
そして、図２に示すように、トランシーバ等の本体４に設けられている雄ねじ部５或いは本体４への取付具に設けられている雄ねじ部を、アンテナエレメント２が内部に収容されている樹脂カバー３の底側の開口から挿入し、樹脂カバー３の雌ねじ部３ａに螺合されているアンテナエレメント２の雌ねじ部２ｂの内径部分に雄ねじ部５を螺入して固着することにより、ヘリカルアンテナ２と樹脂カバー３で構成されるヘリカルアンテナ１を本体４等に取り付けられる。ヘリカルアンテナ１を本体４等に取り付けた状態では、本体４の雄ねじ部５ａの外周に設けられる当接面５ｂ或いは本体４への取付具の雄ねじ部の外周に設けられている当接面に樹脂カバー３の当接面３ｂが当接し、前記当接がヘリカルアンテナ１の周方向に負荷される回転トルクに対するストッパーとして機能する。
【００２６】
前記本体４の雄ねじ部５ａのアンテナエレメント２の雌ねじ部２ｂへの螺入では、アンテナエレメント２の雌ねじ部２ｂの樹脂カバー雌ねじ部３ａに対する螺入が進行し、最終的にアンテナエレメント２の雌ねじ部２ｂの先端が樹脂カバー３の雌ねじ部３ａの先端に当接するまで螺入され所定位置に固着される。更に、アンテナエレメント２の雌ねじ部２ｂは樹脂カバー３ｂの雌ねじ部３ａより進行方向の長さが例えば０．２ｍｍ程度僅かに短く形成されており、前記雌ねじ部３ａの先端に当接するまで螺入した場合に、ヘリカルアンテナ１の長手方向に於ける当接面３ｂの位置と雌ねじ部２ｂの後端の位置にギャップが形成される。
【００２７】
第１実施形態のヘリカルアンテナ１やその取付構造は、アンテナエレメント２と樹脂カバー３でヘリカルアンテナ１を構成できるので、部品点数の削減を図ることができる。更に、アンテナエレメント２のアンテナ部２ａと雌ねじ部２ｂの巻き径を独立した巻き径にすることで、雌ねじ部２ｂやこれに螺合する雄ねじ部５等を共通化することができると共に、アンテナ部２ａを多様な周波数特性に対応可能なものとすることができる。更に、アンテナエレメント２のアンテナ部２ａより雌ねじ部２ｂを大径とし、これに対応する内部形状の樹脂カバー３にアンテナエレメント２を挿入すると共に、アンテナエレメント２の雌ねじ部２ｂを樹脂カバー３への雄ねじとして螺着し、且つ前記雌ねじ部２ｂを本体４等の雄ねじ部５に対する雌ねじとして螺着する構成により、簡単な組立工程でヘリカルアンテナ１を組み立てることができると共に、簡単な取付工程でヘリカルアンテナ１を本体４等に取り付けることができる。
【００２８】
更に、接着剤等を用いずに雌ねじ部２ｂと雌ねじ部３ａを螺着するので、アンテナエレメント２と樹脂カバー３を強固に固着することができると共に、雌ねじ部２ｂと雌ねじ部３ａの当接と掛止突起２ｄの付勢が、螺着したアンテナエレメント２のストッパーとなり、樹脂カバー３に螺着したアンテナエレメント２を所定位置に安定して強固に保持することができる。更に、樹脂カバー３の雌ねじ部３ａにアンテナエレメント２の雌ねじ部２ｂを直接螺着し、樹脂カバー３とアンテナエレメント２との間に別部材等を設けないので、樹脂カバー３の肉厚を厚くして強度を高めることができる。更に、ヘリカルアンテナ１の長手方向に於ける当接面３ｂの位置と雌ねじ部２ｂの後端の位置にギャップにより、アンテナエレメント２に当接面５ｂが食い込んで外力が負荷されることを防止できる。
【００２９】
また、樹脂カバー３と強固に螺着されるアンテナエレメント２の雌ねじ部２ｂを、接着材や別部材等を用いずに本体４の雄ねじ部５ａ等に螺着することにより、ヘリカルアンテナ１を本体４等に強固に固着することができ、例えば接着が外れる、樹脂カバー３がカラーなど別部材に対して空転する等の問題が生ずることが無い。更に、雄ねじ及び雌ねじとして共用するアンテナエレメント２の雌ねじ部２ｂを螺着し、例えば雌ねじ部５ａをヘリカルアンテナ１から引き抜く方向の力に対し、移動可能な雌ねじ部２ｂが雄ねじ部５ａのテーパ面により径を拡大され、雌ねじ部３ａへ外側方向に強く押し付けられるので、かかる力に対する取付強度が非常に高くなる。更に、当接する樹脂カバー３の当接面３ｂと本体４の当接面５ｂ等が樹脂カバー３に負荷される周方向の回転トルクを受けることができ、回転に対する強度が非常に高くなる。加えて、係る固着構成で樹脂カバー３に軟性の樹脂を用いる場合にも強い取付強度を発揮することができる。
【００３０】
更に、アンテナエレメント２を対応する内部形状の樹脂カバー３にアンテナエレメント２を挿入すると共に、雌ねじ部２ｂを雄ねじとして樹脂カバー３へ螺着し、且つ前記雌ねじ部２ｂを本体４の雄ねじ部５ａ等に対する雌ねじとして螺着する構成で、ヘリカルアンテナ１の組立や取付を行うことができ、組立工程や取付工程の容易化を図ることができる。
【００３１】
尚、上記第１実施形態の変形例として、アンテナエレメント２の雌ねじ部２ｂの終端２ｃに掛止突起２ｄを形成する構成に代え、図４に示すように、雌ねじ部２ｂの略終端近傍の巻き径を終端２ｃに向かって漸次増加させ、アンテナエレメント２の終端２ｃやその近傍に外力が負荷されていない状態では、終端２ｃの外端が雌ねじ部２ｂの巻き径の外径より例えば約０．２ｍｍ程度など外方に位置する構成としても好適である。
【００３２】
前記変形例でアンテナエレメント２の雌ねじ部２ｂを雄ねじとして樹脂カバー３の雌ねじ部３ａに螺合する際には、雌ねじ部２ｂと雄ねじ部３ａの螺合で前記略終端近傍が内径方向へ付勢され、スムーズに螺合するようになっており、又、前記螺合後には、螺合を外す方向への回転に対して終端２ｃやその近傍領域が雌ねじ部３ａの面を外方に付勢して回転止めとなり、アンテナエレメント２の雌ねじ部２ｂが雄ねじとして螺合している樹脂カバー３の雌ねじ部３ａから抜け外れることを防止することができる。
【００３３】
次に、第２実施形態のヘリカルアンテナ１及びその製造方法について説明する。第２実施形態のヘリカルアンテナ１は、図５に示すように、基本的な構成は第１実施形態と同様であるが、アンテナエレメント２のアンテナ部２ａ及び雌ねじ部２ｂの略外周に樹脂カバー３が一体的に固着して形成されている点で相違する。
【００３４】
第２実施形態のヘリカルアンテナ１を製造する場合には、図５に示すように、保持部材６をアンテナエレメント２内に挿入する。保持部材６は、樹脂カバー３内に形成される空間と略同一形状の外形を有し、略先端から略中央に亘る部分がアンテナ部２ａと略同一径で形成され、前記部分にアンテナ部２ａのコイルの巻き径及びピッチに対応する螺旋溝６ａが形成されていると共に、前記部分の後方に位置する根元部６ｂの外径が雌ねじ部２ｂの巻き径に対応するようになっている。保持部材６は、アンテナエレメント２の雌ねじ部２ｂ側から挿入され、螺旋溝６ａをアンテナ部２ａに螺合してアンテナエレメント２に取り付けられる。
【００３５】
そして、保持部材６の把持部６ｃを略同一径である押え板８の貫通孔８ａに突出部６ｄの位置まで嵌入して、保持部材６及びアンテナエレメント２を押え板８に取り付け、保持部材６及びアンテナエレメント２を金型７のキャビティ７ａ内の所定位置に配置する。その後、金型７に設けられている流入路７ｂから樹脂Ｒを射出して、アンテナエレメント２の略外周に所定形状の樹脂カバー３を形成する。樹脂カバー３は、樹脂成形によりアンテナエレメント２に一体的に固着し、アンテナエレメント２のアンテナ部２ａ及び雌ねじ部２ｂを被覆する。
【００３６】
前記樹脂Ｒの射出成形では、流れ込む樹脂Ｒでアンテナ部２ａ及び雌ねじ部２ｂの巻き径やピッチが変えられることを防止できる。即ち、所定径の保持部材６の螺旋溝６ａとアンテナ部２ａとの螺合により、アンテナ部２ａのコイルの所定巻き径及び所定ピッチが維持され、更に、コイルが略密着する雌ねじ部２ｂが所定径の保持部材６の外周面に接触配置されることにより、雌ねじ部２ｂのコイルの所定巻き径及び略密着したコイルの所定ピッチが維持される。
【００３７】
その後、保持部材６及び押え板８を金型７から取り外して、アンテナエレメント２及びその略外周に覆設された樹脂カバー３をキャビティ７ａから取り出し、保持部材６を押え板８から抜き出す。更に、アンテナエレメント２に螺入されている保持部材６を回転して抜き出し、アンテナエレメント２及び樹脂カバー３で構成されるヘリカルアンテナ１が得られる。
【００３８】
第２実施形態のヘリカルアンテナ１やその取付構造も、アンテナエレメント２と樹脂カバー３でヘリカルアンテナ１を構成できるので、部品点数の削減を図ることができる。更に、アンテナエレメント２のアンテナ部２ａと雌ねじ部２ｂの巻き径を独立した径にすることで、雌ねじ部２ｂやこれに螺合する雄ねじ部５等を共通化することができると共に、アンテナ部２ａを多様な周波数特性に対応可能なものとすることができる。更に、保持部材６を螺入して樹脂Ｒを射出成形することにより、簡単な製造工程でヘリカルアンテナ１を製造することができると共に、アンテナ部２ａの所要の電気的特性や雄ねじ部５と雌ねじ部２ｂの螺合を確実に実現することができ、加えてアンテナエレメント２に直接樹脂成形で樹脂カバー３を固着して形成するので、ヘリカルアンテナ１の強度が非常に高くなる。更に、雌ねじ部２ｂの巻き径をアンテナ部２ａの巻き径より大径とし、保持部材６を雌ねじ部２ｂ側から進入及び退出可能であるから、アンテナ部２ａの略先端に一体的に樹脂カバー３を形成することができる。
【産業上の利用可能性】
【００３９】
本発明は、例えばトランシーバ等のヘリカルアンテナやその製造工程について利用することができる。
【図面の簡単な説明】
【００４０】
【図１】第１実施形態のヘリカルアンテナ及び本体の雄ねじ部を示す一部断面説明図。
【図２】図１のヘリカルアンテナ及び本体の取付状態を示す一部断面説明図。
【図３】（ａ）は第１実施形態のヘリカルアンテナのアンテナエレメントを示す正面図、（ｂ）は同図（ａ）のアンテナエレメントの底面図。
【図４】（ａ）は第１実施形態の変形例のアンテナエレメントを示す正面図、（ｂ）は同図（ａ）のアンテナエレメントの底面図。
【図５】第２実施形態のヘリカルアンテナに於ける樹脂カバーの成形工程を説明する断面説明図。
【符号の説明】
【００４１】
１  ヘリカルアンテナ
２  アンテナエレメント
２ａ  アンテナ部
２ｂ  雌ねじ部
２ｃ  終端
２ｄ  掛止突起
３  樹脂カバー
３ａ  雌ねじ部
３ｂ  当接面
４  本体
５ａ  雄ねじ部
５ｂ  当接面
６  保持部材
６ａ  螺旋溝
６ｂ  根元部
７  金型
７ａ  キャビティ
７ｂ  流入路
８押え板
【図１】
2005192173.tif 000003
【図２】
2005192173.tif 000004
【図３】
2005192173.tif 000005
【図４】
2005192173.tif 000006
【図５】
2005192173.tif 000007